(57)【要約】      （修正有）【課題】リフォーム用フローリング床材として十分、強度、施工性、貼り合わせ後の仕上がり状態など、新築同様の板材としての実用機能を満たすことができ、本施工による総費用も従来の木質床による施工方法よりもコストダウンできる床材を提供する。【解決手段】合成樹脂の中でも硬質樹脂よりも柔軟性があり、曲がりに対する特性であるヒンジ性の強いポリプロピレン樹脂のようなオレフィン系樹脂を押出成型加工して、総厚が４ｍｍ以下、好ましくは、３ｍｍ程度の厚みの長方形板材を形成し、その後、板材の少なくとも、対抗する一対の長辺側端面の一方をオス形状に、もう一方をメス形状に切削加工して形成し、当該オス形状とメス形状が嵌合できる構造を有する薄肉床材を形成する。【選択図】図３
0003165861.tif 000002
【実用新案登録請求の範囲】
【請求項１】
ポリプロピレン樹脂などオレフィン系樹脂製の長方形板材を天地・左右方向に多数、組み合わせて成る床材において、長方形板材の少なくとも、対抗する一対の端面の一方がオス（凸型）形状を、もう一方がメス（凹型）形状を形成し、当該オス形状を隣接して施工する同様の板材端面のメス形状と嵌合できる構造を有し、その単一板材の総厚が４ｍｍ以下となる薄肉床材。
【考案の詳細な説明】
【技術分野】
【０００１】本考案は、従来、一戸建てや集合住宅におけるフローリング床材は、１２ｍｍ厚の木質板による床材が使用されているが、その床をリフォームする場合、古くなった床材全体を新築同様に、かつ、安価に補修できる床材に関する。
【背景技術】
【０００２】従来、一戸建住宅や集合住宅の床材である１２ｍｍ厚のフローリング木質板製床材をリフォームする場合、不具合部分の床材を剥がして清掃し、再度、同様のフローリング床材を施工せざるを得ないと面倒さがあった。
【先行技術文献】
【実用新案文献】
【０００３】登録実用新案公報第３０９４４０４号
【考案の概要】
【考案が解決しようとする課題】
【０００４】このリフォーム作業の面倒さを軽減し、床全体を新築同様に美装するために、不具合部分の床材を剥がすのではなく、床全体の上に新しいフローリング床材を施工することが求められていた。その場合、床全体の現状の高さを大きく変えず、できるだけ厚みの薄いリフォーム用床材が必要とされていた。【０００５】従来の１２ｍｍ厚の木質板を４ｍｍ以下、好ましくは、３ｍｍ厚程度に薄く加工すると隣接に施工する床材同士がズレたりせずに貼り合わせ易く、片方が跳ね上がったりすることを防止するためのオス・メス形状部分（サネ加工部分）が木製では割れ易くなり、実用に耐えないという問題があった。
すなわち、隣接の床材同士がズレたりせずに貼り合わせ易い構造で、片方が跳ね上がったりすることを防止するために、フローリング床材を構成する代表的な一枚の長方形床材における対抗する一対の長辺側端面に対し、一方がオス（凸型）形状を、もう一方がメス（凹型）形状を形成し、その板材の総厚は、４ｍｍ以下、好ましくは、３ｍｍ厚程度に薄く、強度のある床材の形成が課題である。
【考案が解決するための手段】
【０００６】本考案は、木の代わりに合成樹脂を使用することで前記問題を解決しようとした。しかし、板材の厚みをできるだけ薄くし、隣接の床材同士がズレたりせずに貼り合わせやすく、片方が跳ね上がったりすることを防止するためのオス・メス形状部分（サネ部分）が割れにくくするためには、合成樹脂の中でも適度な柔軟性、強いヒンジ性のあるポリプロピレン樹脂や高密度ポリエチレン樹脂のようなオレフィン系樹脂が最も適切であることがわかった。
【０００７】しかし、それらの合成樹脂製板の押出成形加工の流れ方向に対し、左右一対の長辺側端面において、一方の端面がオス形状を、もう一方の端面がオス形状を有する４ｍｍ以下の嵌合形状の板材を精度良く、一度で押出加工することは、現状、押出加工技術的に困難である。そこで、まず、ポリプロピレン樹脂や高密度ポリエチレン樹脂のようなオレフィン系樹脂を押出加工して３〜４ｍｍ厚の薄板材を製造し、その後、板材の長辺側端面の一方をオス形状に、もう一方の端面をメス形状に切削加工する。これにより、長方形板材の一対の長辺側端面にオス形状とメス形状を有し、同板材を同方向に並列するとオス形状とメス形状が嵌合する強度のある板材を形成することができる。
【考案の効果】
【０００８】本考案による一対のオス・メス形状を有する３〜４ｍｍ程度の厚みオレフィン系樹脂製床材を従来の古い床の上に縦横に多数枚数を組み合わせても、リフォーム用フローリング床材として十分、強度、施工性、貼り合わせ後の仕上がり状態など、新築同様の板材としての実用機能を満たすことができ、本施工による総費用も従来の木質床による施工方法よりもコストダウンできる。
【図面の簡単な説明】
【０００９】
【図１】オス・メス形状付き床材を示した断面図
【図２】オス・メス形状付き床材を示した平面図
【図３】二枚のオス・メス形状付き床材の嵌合状態を示した断面図
【図４】二枚のオス・メス形状付き床材の嵌合状態を示した平面図
【図５】表面意匠フィルム／中芯床材／裏面印刷フィルムの三層貼りオス・メス形状付き床材を示した断面図
【図６】表面意匠フィルム／中芯床材／裏面印刷フィルムの三層貼りオス・メス形状付き床材を示した平面図
【図７】表面意匠フィルム／中芯床材／裏面印刷フィルムの三層貼りオス・メス形状付き床材を示した裏面図
【図８】オス・メス形状付き床材を多数枚、組み合わせて施工した床面を示した平面図
【考案を実施するための形態】
【００１０】本考案による床材に関する実施例図５において、板材１の表面に、木目などの薄い印刷フィルム５を貼り、床面へのノリ貼り加工時、板材のノリ貼り加工方向を示す矢印を印刷した印刷フィルム６を板材１の裏面に貼り合わせた床材を示す。同板材は、長方形で長手方向の両端面がオス・メス形状になっているため、同方向に並列させると、図３のように、位置合わせできてズレないために、貼り合わせの施工性がが良く、施工後も本板材の反りが少なく、板厚が３ｍｍ程度と薄いために従来の古い床材の上にリフォーム用に貼り合わせ施工しても床の高さがほとん変化せず、新築同様の床のように補修できる。
【実施例】
【００１１】本考案による床材である図１を図３のように組み合わせて縦横に施工して行くと、図８のようになります。
すなわち、古い床面の上に、本考案による床材を図８のように貼り合わせて施工して行くと新築の床のようにきれいにリフォームできます。
【産業上の利用可能性】
【００１２】本考案による床材は、一戸建て住宅や集合住宅など用の手軽で有効なリフォーム用床材として、普及する可能性が十分にある。
【符合の説明】
【００１３】１    オス・メス形状付き床材
２    床材のオス形状部分
３    床材のメス形状部分
４    オス・メス形状の嵌合部分
５    床材の表面に貼り合わせた意匠性フィルム
６    床材の裏面に貼り合わせた印刷フィルム
７    床材の裏面に貼り合わせた印刷フィルムの床への貼り方向矢印表示
【図１】
0003165861.tif 000003
【図２】
0003165861.tif 000004
【図３】
0003165861.tif 000005
【図４】
0003165861.tif 000006
【図５】
0003165861.tif 000007
【図６】
0003165861.tif 000008
【図７】
0003165861.tif 000009
【図８】
0003165861.tif 000010